(57)【特許請求の範囲】
【請求項１】
駆動源であるモータと、該モータの回転動力を伝達するための駆動軸と、該駆動軸に装着可能なロータと、該ロータを覆う空気吸入口を有したシェルと、該シェルの上面開口部を閉塞するためのロータカバーとを備えた遠心機において、前記上面開口部を形成する前記シェル上部の開口縁に設けた凹凸形状のラバーと前記ロータカバーとの間に前記シェルの内外を連通する空気排出口を設けることを特徴とする遠心機。
【請求項２】
前記ロータカバーの底面と接触する前記ラバーの側面にのみ凹凸形状を設けることを特徴とする請求項１記載の遠心機。
【請求項３】
前記ロータカバーの底面と接触する前記ラバーの側面及び反側面に凹凸形状を設けることを特徴とする請求項１記載の遠心機。
【請求項４】
駆動源であるモータと、該モータの回転動力を伝達するための駆動軸と、該駆動軸に装着可能なロータと、該ロータを覆い前記ロータとともに回転し、さらに空気吸入口を有したシェルと、該シェルの上面開口部を閉塞するためのロータカバーとを備えた遠心機において、前記シェルの側面に前記シェル内外を連通する空気排出口を設けることを特徴とする遠心機。
【請求項５】
駆動源であるモータと、該モータの回転動力を伝達するための駆動軸と、該駆動軸に装着可能なロータと、該ロータを覆い前記ロータとともに回転し、さらに空気吸入口を有したシェルと、該シェルの上面開口部を閉塞するためのロータカバーとを備えた遠心機において、前記ロータカバーに前記シェル内外を連通する空気排出口を設けることを特徴とする遠心機。
【発明の詳細な説明】
【０００１】
【発明の属する技術分野】
本発明は、医学、化学、薬学などの分野で多様されている遠心機用ロータの浮き上がり防止機構に関するものである。
【０００２】
【従来の技術】
従来における遠心機用ロータの浮き上がり防止機構を図５及び図６を用いて説明する。図５は駆動軸であるシャフト１にネジ止めされたロータ２を回転させた状態を示す一部省略縦断側面図、図６はロータカバー７のネジ止めされたロータ２を回転させた状態を示す一部省略縦断側面図である。従来の遠心機は、駆動源である図示しないモータと、このモータによって回転され且つ試料を収容するロータ２と、このロータ２に対して揺動可能な複数のバケット３とを有し、更に上記ロータ２の回転時における空気抵抗を低減させるため上記ロータ２を覆うシェル５とを有している。
【０００３】
通常、使用者はバケット３内に試料を保持する遠心プレート４を収容した後、ロータ２の回転時における空気抵抗を低減させるため、或いはロータ２から試料が飛散してしまうことを防ぐために、シェル５の上面開口部を閉塞可能なノブ８を有するロータカバー７をロータのカバーガイド９を中心にしてロータ２に装着しているが、万一、このロータカバー７を付け忘れてしまったままロータ２を回転させてしまうと、ロータ２の遠心力により外方（シェル５の内側壁）に飛ばされた空気が上面開口部からシェル５外に流出するため、シェル５外の圧力よりシェル５内の圧力の方が低くなり、結果としてロータ２を上方（反モータ側）に浮き上げようとする力（浮力）が作用する。
【０００４】
上述した浮力がロータ２に作用すると、モータの回転動力を伝達するシャフト１からロータ２が離脱してしまうという問題が生じる。そこで、上記問題を解消するために以下（１）〜（３）に示す対応策が講じられてきた。
【０００５】
(１)図５に示すようにネジ機構１３を用いてロータ２をシャフト１にネジ止めする。
【０００６】
(２)ロータカバー７の有無を感知する検出部を設ける。
【０００７】
(３)図６に示すようにロータ２の下方に位置するシェル５の一部に空気吸入口１１を設ける。
【０００８】
【発明が解決しようとする課題】
上述した(１)の場合には、遠心機にロータをセットするたびにネジ締め作業を要するため、使用者にとって大変面倒で手間を要すという問題があった。
【０００９】
また、(２)の場合には、検出用の特別な装置が必要になると共に、確実に検出できる位置にセンサーを配置する必要があるため、製造時におけるコスト高及び組立時の作業性が低下してしまうという問題があった。
【００１０】
また、(３)の場合には、図５に示す構成とは逆にロータをシャフトにネジ止めしない構成で、更にロータの下方に位置するシェルの一部に空気吸入口を有する構成であるため、ロータカバーを付け忘れてしまったままロータを回転させてしまっても空気吸入口からシェル内に空気が入り込んでくるので、シェル内の気圧の低下を緩和することができる。しかし、このような構成において図５に示すロータカバー、即ちロータに対してネジ止めされないロータカバーを用いてシェルの上面開口部を閉塞すると、ロータの高速回転に伴い負圧になったシェル内に図６中の矢印１２′で示す空気流が生じるため、ロータカバーを浮き上げる力が作用する。よって、空気吸入口を有するシェルの上面開口部を閉塞するロータカバーは、図６に示すようにロータに対してネジ部を介してネジ止めせざるを得ない構成になっており、このネジ止め作業が使用者にとっては大変面倒で手間を要すという問題があった。
【００１１】
本発明の目的は、上記問題を解消し、簡便な構成でロータの浮き上がりを防ぎ、且つロータを遠心機のシャフトにネジで固定する作業、或いはロータカバーをロータにネジで固定する作業をなくし操作性に優れた安全且つ安価な遠心機を提供することである。
【００１２】
【課題を解決するための手段】
上記目的は、駆動源であるモータと、モータの回転動力を伝達するための駆動軸と、駆動軸に装着可能なロータと、ロータを覆う空気吸入口を有したシェルと、シェルの上面開口部を閉塞するためのロータカバーとを備えた遠心機において、上面開口部を形成するシェル上部の開口縁に設けた凹凸形状のラバーとロータカバーとの間にシェルの内外を連通する空気排出口を設けることにより達成される。
【００１３】
また、上記目的は、駆動源であるモータと、モータの回転動力を伝達するための駆動軸と、駆動軸に装着可能なロータと、ロータを覆う空気吸入口を有したシェルと、シェルの上面開口部を閉塞するためのロータカバーとを備えた遠心機において、シェルの側面にシェル内外を連通する空気排出口を設けることにより達成される。
【００１４】
また、上記目的は、駆動源であるモータと、モータの回転動力を伝達するための駆動軸と、駆動軸に装着可能なロータと、ロータを覆う空気吸入口を有したシェルと、シェルの上面開口部を閉塞するためのロータカバーとを備えた遠心機において、ロータカバーにシェル内外を連通する空気排出口を設けることにより達成される。
【００１５】
【発明の実施の形態】
本実施例における遠心機用ロータ２の浮き上がり防止機構を図１〜図４を用いて説明する。図１は駆動軸であるシャフト１の一端に載置されたロータ２を回転させた状態を示す一部省略縦断側面図、図２は上面開口部を有するシェル５上部の開口縁５ａに設ける凹凸形状のラバー６の一部を示す外観斜視図、図３は複数の空気排出口１５の形成されたシェルを示す一部省略縦断側面図、図４は複数の空気排出口１５′の形成されたロータカバー７を示す一部省略縦断側面図である。図１に示す遠心機は、駆動源である図示しないモータと、このモータの回転動力を伝達するためのシャフト１と、このシャフト１の一端に装着可能なロータ２と、このロータ２の上面を覆うノブ８を有するロータカバー７とを有し、更に上記ロータ２の回転時における空気抵抗を低減させるためのシェル５とを有している。上記シェル５は、ロータ２に対して揺動可能で且つ試料を保持する遠心プレート４の配される複数のバケット３を有するロータ２を覆うように配されており、その上面には開口部が形成されており、更にロータ２の下方に位置するシェル５の一部にはシェル５内に空気を流入させるための空気吸入口１１が設けられている。上記上面開口部を形成するシェル５上部の開口縁５ａには、図２に示す凹凸形状のラバー６が円周上に貼り付けられており、このラバー６を介して上面開口部を閉塞するためのロータカバー７を配すことから、図５に示すシェル５とロータカバー７間（金属間）に働く摩擦力よりもラバー６を介す本実施例の方がシェル５とロータカバー７間に働く摩擦力が大きいため、シェル５とロータカバー７とが一体になって回転する。これにより、回転中にシェル５とロータカバー７とに回転速度差が生じないため、両者間における振動も起きず回転摩擦音などによる騒音をなくすことができる。なお、上記ラバー６は、開口縁５ａの全周であっても円周上のどこかに部分的に配されても良く、更に他の実施形態として開口縁５ａと接触する位置として例えばロータカバーの外周に上述したラバー６なるものを配しても良い。
【００１６】
このような構成において、シェル５上部の上面開口部をロータ２のカバーガイド９を中心にしてロータカバー７で閉塞すると、開口縁５ａに設けたラバー６の凸面にロータカバー７の底面が接触するため、ラバー６とロータカバー７との間に凹部による隙間から成る空気排出口１０が形成される。即ちシェル５内外を連通する流路が形成されるので、ロータ２の回転によりシェル５内の空気が空気排出口１０を通りシェル５外に流出するため気圧が下がり、これにより図１中の矢印１２で示す通り空気吸入口１１からシェル５内に空気が流入する。
【００１７】
よって、簡便な構成でロータ２の浮き上がりを防ぐことができ、且つロータ２を遠心機のシャフト１にネジで固定する作業、或いはロータカバー７をロータ２にネジで固定する作業をなくすことのできる操作性に優れた安全且つ安価な遠心機を提供することができる。
【００１８】
なお、上述したラバー６には、その側面６ａ，６ｂに凹凸形状が施されているが、これは組立作業者が開口縁５ａにラバー６を装着した時に、側面６ａまたは側面６ｂの何れか一方の側面とロータカバー７の底面とを面接触させ、確実にロータカバー７とシェル５との間に排気口１０を形成させるためである。勿論、別の形状として例えばラバー６の一方の側面だけに凹凸形状を施したラバー６を装着しても良い。但し、この場合には、装着時に必ず凸面とロータカバー７とが接触し空気排出口１０が形成されるように開口縁５ａにラバー６を装着する必要がある。更に、空気排出口１０の形状や大きさは、シェル５内の空気を問題なく排出することのできる程度のものであれば良い。
【００１９】
また、ロータ２の浮き上がりを防ぐための別の手段として図３に示すようにシェル５′の側面に複数の空気排出口１５を設けても良い。このような構成にすることで、シェル５′上部の上面開口部をロータカバー７で閉塞しロータ２を回転させると、シェル５′内の空気が空気排出口１５を通りシェル５′外に流出するため気圧が下がり、これにより図３中の矢印１２ａで示す通り空気吸入口１１からシェル５′内に空気が流入するため、結果的にロータ２の浮き上がりを防ぐことができる。なお、空気排出口１５の形状や大きさは、円形での長円形でもシェル５′内の空気を問題なく排出することのできる程度のものであれば良い。
【００２０】
また、ロータ２の浮き上がりを防ぐための更に別の手段として図４に示すようにロータカバー７′に複数の空気排出口１５′を設けても良い。このような構成にすることで、シェル５上部の上面開口部をロータカバー７′で閉塞しロータ２を回転させると、シェル５内の空気が空気排出口１５′を通りシェル５外に流出するため気圧が下がり、これにより図３中の矢印１２ｂで示す通り空気吸入口１１からシェル５内に空気が流入するため、結果的にロータ２の浮き上がりを防ぐことができる。なお、空気排出口１５′の形状や大きさは、円形での長円形でもシェル５内の空気を問題なく排出することのできる程度のものであれば良い。
【００２１】
【発明の効果】
本発明によれば、シェル内外を連通する流路を設けることで、簡便な構成でロータの浮き上がりを防ぎ、且つロータを遠心機のシャフトにネジで固定する作業、或いはロータカバーをロータにネジで固定する作業をなくし操作性に優れた安全且つ安価な遠心機を提供することができる。
【図面の簡単な説明】
【図１】 本発明になる駆動軸であるシャフトの一端に載置されたロータを回転させた状態を示す一部省略縦断側面図である。
【図２】 本発明になる上面開口部を有するシェル上部の開口縁に設ける凹凸形状のラバーの一部を示す外観斜視図である。
【図３】 本発明になる複数の空気排出口の形成されたシェルを示す一部省略縦断側面図である。
【図４】 本発明になる複数の空気排出口の形成されたロータカバーを示す一部省略縦断側面図である。
【図５】 従来の駆動軸であるシャフトにネジ止めされたロータを回転させた状態を示す一部省略縦断側面図である。
【図６】 従来のロータカバーのネジ止めされたロータを回転させた状態を示す一部省略縦断側面図である。
【符号の説明】
１は駆動軸、２はロータ、３はバケット、４は遠心プレート、５，５′はシェル、５ａは開口縁、６はラバー、６ａ，６ｂはラバーの側面、７，７′はロータカバー、８はノブ、９はカバーガイド、１０は隙間、１１は空気吸入口、１２，１２ａ，１２ｂ，１２′は空気の流れ、１３はネジ機構、１４はネジ部、１５は空気排出口である。
【図１】
0003951615.tif 000002
【図２】
0003951615.tif 000003
【図３】
0003951615.tif 000004
【図４】
0003951615.tif 000005
【図５】
0003951615.tif 000006
【図６】
0003951615.tif 000007